(57)【要約】  ネットワークインフラ上に論理的に生成される仮想ネットワークであるスライスに関するスライス情報としてスライスタイプを端末が保持するシステムにおいて、スライス情報を変更するスライス情報変更方法は、当該システムにてスライスを管理するスライス管理部が、ネットワークリソースを用いて処理されるサービスを管理するサービス管理部にスライスタイプ変更要求を送信するステップ（Ｓ１）と、上記サービス管理部が、端末に係る処理を行う処理サーバに当該スライスタイプ変更要求を送信するステップ（Ｓ２Ａ、Ｓ２Ｃ）と、上記処理サーバが、当該スライスタイプ変更要求に基づいて、端末により保持されたスライス情報としてのスライスタイプを当該端末により変更させるよう制御するステップ（Ｓ２Ｂ、Ｓ２Ｄ）と、を含む。
2017169283.tif 000002
【特許請求の範囲】
【請求項１】
ネットワークインフラ上に論理的に生成される仮想ネットワークであるスライスに関するスライス情報として、スライスのタイプを示すスライスタイプを端末が保持するシステムにおいて、前記スライス情報を変更するスライス情報変更方法であって、
前記システムにおけるスライスを管理するスライス管理部が、前記システムのネットワークリソースを用いて処理されるサービスを管理するサービス管理部にスライスタイプ変更要求を送信するステップと、
スライスタイプ変更要求を受信したサービス管理部が、端末に係る処理を行う処理サーバに当該スライスタイプ変更要求を送信するステップと、
スライスタイプ変更要求を受信した処理サーバが、当該スライスタイプ変更要求に基づいて、端末により保持されたスライス情報としてのスライスタイプを当該端末により変更させるよう制御するステップと、
を含むスライス情報変更方法。
【請求項２】
ネットワークインフラ上に論理的に生成される仮想ネットワークであるスライスに関するスライス情報として、スライスを用いるサービスの提供に係る１つ以上のノードを示すスライスノードリストを基地局が保持するシステムにおいて、前記スライス情報を変更するスライス情報変更方法であって、
前記システムにおけるスライスを管理するスライス管理部が、前記システムのネットワークリソースを用いて処理されるサービスを管理するサービス管理部にスライスノードリスト変更要求を送信するステップと、
スライスノードリスト変更要求を受信したサービス管理部が、
端末に係る処理を行う処理サーバに当該スライスノードリスト変更要求を送信して、前記処理サーバから転送される当該スライスノードリスト変更要求に基づいて、基地局により保持されたスライス情報としてのスライスノードリストを基地局により変更させるよう制御するか、又は、
基地局に対し当該スライスノードリスト変更要求を送信して、当該スライスノードリスト変更要求に基づいて、基地局により保持されたスライス情報としてのスライスノードリストを基地局により変更させるよう制御するステップと、
を含むスライス情報変更方法。
【請求項３】
処理サーバが、スライスタイプを含むリルート要求を基地局に送信するステップと、
リルート要求を受信した基地局が、保持しているスライスノードリストに基づいて、前記リルート要求に含まれたスライスタイプに応じて新たな処理サーバを選択するステップと、
をさらに含む請求項２に記載のスライス情報変更方法。
【請求項４】
ネットワークインフラ上に論理的に生成される仮想ネットワークであるスライスに関するスライス情報として、スライスのタイプを示すスライスタイプを保持した端末と、スライスを管理するスライス管理部と、ネットワークリソースを用いて処理されるサービスを管理するサービス管理部と、端末に係る処理を行う処理サーバと、を含んで構成される通信システムであって、
前記スライス管理部は、前記サービス管理部にスライスタイプ変更要求を送信するよう構成され、
前記サービス管理部は、スライスタイプ変更要求を受信した場合に、前記処理サーバに当該スライスタイプ変更要求を送信するよう構成され、
前記処理サーバは、スライスタイプ変更要求を受信した場合に、当該スライスタイプ変更要求に基づいて、端末により保持されたスライス情報としてのスライスタイプを当該端末により変更させるよう制御するよう構成された、
ことを特徴とする通信システム。
【請求項５】
ネットワークインフラ上に論理的に生成される仮想ネットワークであるスライスに関するスライス情報として、スライスを用いるサービスの提供に係る１つ以上のノードを示すスライスノードリストを保持した基地局と、スライスを管理するスライス管理部と、ネットワークリソースを用いて処理されるサービスを管理するサービス管理部と、端末に係る処理を行う処理サーバと、を含んで構成される通信システムであって、
前記スライス管理部は、前記サービス管理部にスライスノードリスト変更要求を送信するよう構成され、
前記サービス管理部は、スライスノードリスト変更要求を受信した場合に、
前記処理サーバに当該スライスノードリスト変更要求を送信して、前記処理サーバから転送される当該スライスノードリスト変更要求に基づいて、基地局により保持されたスライス情報としてのスライスノードリストを基地局により変更させるよう制御するか、又は、
基地局に対し当該スライスノードリスト変更要求を送信して、当該スライスノードリスト変更要求に基づいて、基地局により保持されたスライス情報としてのスライスノードリストを基地局により変更させるよう制御する
よう構成された、
ことを特徴とする通信システム。
【発明の詳細な説明】
【技術分野】
【０００１】
本発明は、スライス情報を変更するスライス情報変更方法および通信システムに係り、より詳しくは、仮想化技術に基づき構築されたネットワークにおけるスライス情報変更方法および通信システムに関する。【０００２】
なお、本明細書における「サービス」とは、例えば、通信サービス（専用線サービス等）およびアプリケーションサービス（動画配信、エンベデッド装置等のセンサ装置を利用したサービス）等の、ネットワークリソースを用いて処理されるサービスをいう。「スライス」とは、ネットワークインフラ上に論理的に生成される仮想ネットワークであり、上記サービスは、スライスに割り当てられ、当該割り当てられたスライスのネットワークリソースを用いて処理される。
【背景技術】
【０００３】
従来の仮想化技術を用いたネットワークシステムは、非特許文献１に開示された仮想化技術を用いて、ハードウェア資源を仮想的に切り分けて、ネットワークインフラ上に論理的に生成される仮想ネットワークであるスライスを生成する。そして、当該スライスへサービスを割当てることにより、それぞれ独立したスライスのネットワークを用いてサービス提供することができる。これにより、多様な要求条件を持つサービス各々にスライスを割り当てた場合、サービス個々の要求条件を満たすことを容易にし、そのシグナリング処理などを軽減させることが可能となる。【０００４】
また、上記のスライスを専用コア網により構成することが検討されており、その際、ＵＥがスライスタイプを保持しｅＮＢがスライスノードリストを保持する形態が検討されている（非特許文献２参照）。
【先行技術文献】
【非特許文献】
【０００５】
【非特許文献１】中尾彰宏、″仮想化ノード・プロジェクト新世代のネットワークをめざす仮想化技術″、［online］、2010年6月、独立行政法人情報通信研究機構、［2015年3月16日検索］、インターネット<http://www.nict.go.jp/publication/NICT-News/1006/01.html>
【非特許文献２】3GPP  TR  23.711  V0.3.0  (2016-01)
【発明の概要】
【発明が解決しようとする課題】
【０００６】
端末状態の変化に伴いサービス要求条件が変化したとき、システム負荷の増減およびシステム構成要素のメンテナンス等によりシステム状態が変化したとき等には、現状のスライスは、変更後のサービス要求条件および変更後のシステム状態等に適合した新たなスライスへ変更する必要がある。【０００７】
ところが、上述したＵＥがスライスタイプを保持しｅＮＢがスライスノードリストを保持する形態（即ち、ＵＥおよびｅＮＢがスライス情報（スライスタイプ、スライスノードリスト）を保持する形態）では、ＵＥおよびｅＮＢが保持しているスライス情報を変更する手段については未だ充分に検討されておらず、また、既存のスライス変更の方法を適用した場合にＵＥおよびｅＮＢにより変更された変更後のスライス情報をスライス変更処理に反映させることができない、といった課題があった。【０００８】
本発明は、上記課題を解決するために成されたものであり、スライス情報の変更に係る処理を適切に実行することを目的とする。
【課題を解決するための手段】
【０００９】
本発明の一態様に係るスライス情報変更方法は、ネットワークインフラ上に論理的に生成される仮想ネットワークであるスライスに関するスライス情報として、スライスのタイプを示すスライスタイプを端末が保持するシステムにおいて、前記スライス情報を変更するスライス情報変更方法であって、前記システムにおけるスライスを管理するスライス管理部が、前記システムのネットワークリソースを用いて処理されるサービスを管理するサービス管理部にスライスタイプ変更要求を送信するステップと、スライスタイプ変更要求を受信したサービス管理部が、端末に係る処理を行う処理サーバに当該スライスタイプ変更要求を送信するステップと、スライスタイプ変更要求を受信した処理サーバが、当該スライスタイプ変更要求に基づいて、端末により保持されたスライス情報としてのスライスタイプを当該端末により変更させるよう制御するステップと、を含むことを特徴とする。【００１０】
上記のスライス情報変更方法では、スライス管理部がサービス管理部にスライスタイプ変更要求を送信し、上記サービス管理部が処理サーバに当該スライスタイプ変更要求を送信し、そして、上記処理サーバが、当該スライスタイプ変更要求に基づいて、端末により保持されたスライス情報としてのスライスタイプを当該端末により変更させるよう制御する。このような処理手順により、端末により保持されたスライス情報（スライスタイプ）の変更に係る処理を適切に実行することができる。【００１１】
上記のスライス情報変更方法に係る発明は、通信システムに係る発明として捉えることもでき、以下のように記述することができる。本発明の一態様に係る通信システムは、ネットワークインフラ上に論理的に生成される仮想ネットワークであるスライスに関するスライス情報として、スライスのタイプを示すスライスタイプを保持した端末と、スライスを管理するスライス管理部と、ネットワークリソースを用いて処理されるサービスを管理するサービス管理部と、端末に係る処理を行う処理サーバと、を含んで構成される通信システムであって、前記スライス管理部は、前記サービス管理部にスライスタイプ変更要求を送信するよう構成され、前記サービス管理部は、スライスタイプ変更要求を受信した場合に、前記処理サーバに当該スライスタイプ変更要求を送信するよう構成され、前記処理サーバは、スライスタイプ変更要求を受信した場合に、当該スライスタイプ変更要求に基づいて、端末により保持されたスライス情報としてのスライスタイプを当該端末により変更させるよう制御するよう構成されたことを特徴とする。【００１２】
本発明の別の態様に係るスライス情報変更方法は、ネットワークインフラ上に論理的に生成される仮想ネットワークであるスライスに関するスライス情報として、スライスを用いるサービスの提供に係る１つ以上のノードを示すスライスノードリストを基地局が保持するシステムにおいて、前記スライス情報を変更するスライス情報変更方法であって、前記システムにおけるスライスを管理するスライス管理部が、前記システムのネットワークリソースを用いて処理されるサービスを管理するサービス管理部にスライスノードリスト変更要求を送信するステップと、スライスノードリスト変更要求を受信したサービス管理部が、末に係る処理を行う処理サーバに当該スライスノードリスト変更要求を送信して、前記処理サーバから転送される当該スライスノードリスト変更要求に基づいて、基地局により保持されたスライス情報としてのスライスノードリストを基地局により変更させるよう制御するか、又は、基地局に対し当該スライスノードリスト変更要求を送信して、当該スライスノードリスト変更要求に基づいて、基地局により保持されたスライス情報としてのスライスノードリストを基地局により変更させるよう制御するステップと、を含むことを特徴とする。【００１３】
上記のスライス情報変更方法では、スライス管理部がサービス管理部にスライスノードリスト変更要求を送信し、上記サービス管理部が、処理サーバに当該スライスノードリスト変更要求を送信して、該処理サーバから転送される当該スライスノードリスト変更要求に基づいて、基地局により保持されたスライス情報としてのスライスノードリストを基地局により変更させるよう制御するか、又は、基地局に対し当該スライスノードリスト変更要求を送信して、当該スライスノードリスト変更要求に基づいて、基地局により保持されたスライス情報としてのスライスノードリストを基地局により変更させるよう制御する。このような処理手順により、基地局により保持されたスライス情報（スライスノードリスト）の変更に係る処理を適切に実行することができる。【００１４】
なお、上記のスライス情報変更方法は、処理サーバが、スライスタイプを含むリルート要求を基地局に送信するステップと、リルート要求を受信した基地局が、保持しているスライスノードリストに基づいて、前記リルート要求に含まれたスライスタイプに応じて新たな処理サーバを選択するステップと、をさらに含んでもよい。この場合、基地局が、スライスタイプを含むリルート要求を処理サーバから受信した後、該基地局により保持しているスライスノードリストに基づいて、上記リルート要求に含まれたスライスタイプに応じて新たな処理サーバを適切に選択することができる。【００１５】
上記のスライス情報変更方法に係る発明は、通信システムに係る発明として捉えることもでき、以下のように記述することができる。本発明の別の態様に係る通信システムは、ネットワークインフラ上に論理的に生成される仮想ネットワークであるスライスに関するスライス情報として、スライスを用いるサービスの提供に係る１つ以上のノードを示すスライスノードリストを保持した基地局と、スライスを管理するスライス管理部と、ネットワークリソースを用いて処理されるサービスを管理するサービス管理部と、端末に係る処理を行う処理サーバと、を含んで構成される通信システムであって、前記スライス管理部は、前記サービス管理部にスライスノードリスト変更要求を送信するよう構成され、前記サービス管理部は、スライスノードリスト変更要求を受信した場合に、前記処理サーバに当該スライスノードリスト変更要求を送信して、前記処理サーバから転送される当該スライスノードリスト変更要求に基づいて、基地局により保持されたスライス情報としてのスライスノードリストを基地局により変更させるよう制御するか、又は、基地局に対し当該スライスノードリスト変更要求を送信して、当該スライスノードリスト変更要求に基づいて、基地局により保持されたスライス情報としてのスライスノードリストを基地局により変更させるよう制御するよう構成された、ことを特徴とする。
【発明の効果】
【００１６】
本発明によれば、スライス情報の変更に係る処理を適切に実行することができる。
【図面の簡単な説明】
【００１７】
【図１】本発明の実施形態に係るシステムの構成例を示す図である。
【図２】各装置のハードウェア構成例を示す図である。
【図３】第１の処理例を示すフロー図である。
【図４】第２の処理例を示すフロー図である。
【発明を実施するための形態】
【００１８】
以下、図面と共に本発明に係るスライス割当方法の実施形態について詳細に説明する。なお、図面の説明においては同一要素には同一符号を付し、重複する説明を省略する。
【００１９】
［システム構成例の説明］
図１に示すように、発明の実施形態に係る通信システム１は、端末（User  Equipment（以下「ＵＥ」という））６０と、ＬＴＥ（Long  Term  Evolution）ネットワークにおける基地局に相当するｅＮｏｄｅＢ（以下「ｅＮＢ」という）５０と、ＬＴＥネットワークに在圏するＵＥ６０の位置管理、認証制御、通信経路設定等の処理を行う複数のＭＭＥ４０と、ネットワークインフラ上に論理的に生成される仮想ネットワークであるスライスを管理するスライス管理部１０と、ＵＥ６０の位置および状態等を管理する端末管理サーバ２０と、上記スライス管理部１０または端末管理サーバ２０からの要求を受け付けてＭＭＥ４０へ通知するＯＳＳ／ＢＳＳ（Operations  Support  System／Business  Support  System）３０と、を含んで構成されている。
【００２０】
なお、本発明との関連が薄いため図示を省略したが、通信システム１は、さらに、ＵＥ６０等の通信端末の契約情報、認証情報、通信サービス情報、端末タイプ情報及び在圏情報を含む加入者情報をデータベースで管理するＨＳＳ（Home  Subscriber  Server）、および、ネットワーク上でドメイン名またはホスト名とＩＰアドレスとの対応関係を管理するＤＮＳ（Domain  Name  System）サーバ、を含んで構成されている。
【００２１】
さて、図１の各装置（装置１００と総称する）は、通信機能を備えた一般的なコンピュータにより構成される。例えば、図２に示すように、これらの装置１００は、一又は複数のＣＰＵ１０１、主記憶装置であるＲＡＭ（Random  Access  Memory）１０２及びＲＯＭ（Read  Only  Memory）１０３、通信を行うための通信モジュール１０４（Transmitter又はReceiver）、並びにハードディスク等の補助記憶装置１０５（Memory）等、のハードウェアを備えた１つ又は複数のコンピュータにより構成される。装置１００では、図２に示すＣＰＵ１０１、ＲＡＭ１０２等のハードウェア上に所定のコンピュータソフトウェアを読み込ませることにより、ＣＰＵ１０１の制御のもとで通信モジュール１０４等を動作させるとともに、ＲＡＭ１０２および補助記憶装置１０５におけるデータの読み出しおよび書き込みを行うことで、各部における一連の機能が実現される。
【００２２】
なお、ＣＰＵ１０１などのプロセッサ（Processor）は、その機能の全部または一部を専用の集積回路（ＩＣ：integrated  circuit）により実行するよう構成してもよい。例えば、画像処理または通信制御を行うための専用の集積回路を構築することにより上記機能を実行するようにしてもよい。
【００２３】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【００２４】
また、ソフトウェア、命令などは、伝送媒体を介して送受信されてもよい。例えば、ソフトウェアが、同軸ケーブル、光ファイバケーブル、ツイストペア及びデジタル加入者回線（ＤＳＬ）などの有線技術及び／又は赤外線、無線及びマイクロ波などの無線技術を使用してウェブサイト、サーバ、又は他のリモートソースから送信される場合、これらの有線技術及び／又は無線技術は、伝送媒体の定義内に含まれる。
【００２５】
［処理例の説明］
引き続いて、ＵＥ６０が保持しているスライス情報（スライスタイプ）を変更するスライス情報変更方法に係る第１の処理（図３）と、ｅＮＢ５０が保持しているスライス情報（スライスノードリスト）を変更するスライス情報変更方法に係る第２の処理（図４）とを、順に説明する。
【００２６】
（第１の処理について）
図３に示すように、スライス管理部１０がＯＳＳ／ＢＳＳ３０にスライスタイプ変更要求を送信すると（ステップＳ１）、以下のようなスライスタイプ変更処理が実行される（ステップＳ２）。ここでのスライスタイプ変更処理としては、図３に実線で示すステップＳ２Ａ、Ｓ２Ｂを含む処理と、図３に破線で示すステップＳ２Ｃ、Ｓ２Ｄを含む処理の２つのバリエーションがあり、いずれか一方の処理が実行される。
【００２７】
ステップＳ２Ａ、Ｓ２Ｂを含む処理の場合には、ＯＳＳ／ＢＳＳ３０は端末管理サーバ２０にスライスタイプ変更要求を送信して（ステップＳ２Ａ）、端末管理サーバ２０が当該スライスタイプ変更要求に基づいて、ＵＥ６０により保持されたスライス情報（スライスタイプ）を当該ＵＥ６０により変更させるよう制御する（ステップＳ２Ｂ）。
【００２８】
一方、ステップＳ２Ｃ、Ｓ２Ｄを含む処理の場合には、ＯＳＳ／ＢＳＳ３０はＭＭＥ４０にスライスタイプ変更要求を送信して（ステップＳ２Ｃ）、ＭＭＥ４０が当該スライスタイプ変更要求に基づいて、ＵＥ６０により保持されたスライス情報（スライスタイプ）を当該ＵＥ６０により変更させるよう制御する（ステップＳ２Ｄ）。
【００２９】
上記のようなスライスタイプ変更処理（ステップＳ２）により、ＵＥ６０により保持されたスライス情報（スライスタイプ）の変更に係る処理を適切に実行することができる。
【００３０】
その後は、変更後のスライス情報（スライスタイプ）に基づいて以下の処理が実行される。ＯＳＳ／ＢＳＳ３０がＭＭＥ４０にReattach要求を送信すると（ステップＳ３）、ＭＭＥ４０からＵＥ６０へのReattach  Requestの送信を含むデタッチ処理がＭＭＥ４０−ＵＥ６０間で実行される（ステップＳ４）。そして、変更後のスライス情報（新たなスライスタイプ）を含むAttach  RequestがＵＥ６０からＭＭＥ４０へ送信され、ＵＥ６０−スライス管理部１０間でアタッチ処理が実行される（ステップＳ５）。
【００３１】
このようにして、ＵＥ６０により保持されたスライス情報（スライスタイプ）の変更に係る処理を適切に実行することができる。
【００３２】
（第２の処理について）
図４に示すように、スライス管理部１０がＯＳＳ／ＢＳＳ３０にスライスノードリスト変更要求を送信すると（ステップＳ１１）、以下のようなスライスノードリスト変更処理が実行される（ステップＳ１２）。ここでのスライスノードリスト変更処理としては、図４に実線で示すステップＳ１２Ａ、Ｓ１２Ｂを含む処理と、図４に破線で示すステップＳ１２Ｃを含む処理の２つのバリエーションがあり、いずれか一方の処理が実行される。
【００３３】
ステップＳ１２Ａ、Ｓ１２Ｂを含む処理の場合には、ＯＳＳ／ＢＳＳ３０は、旧ＭＭＥであるＭＭＥ＃１にスライスノードリスト変更要求を送信して（ステップＳ１２Ａ）、ＭＭＥ＃１が当該スライスノードリスト変更要求に基づいて、ｅＮＢ５０により保持されたスライス情報（スライスノードリスト）を当該ｅＮＢ５０により変更させるよう制御する（ステップＳ１２Ｂ）。
【００３４】
一方、ステップＳ１２Ｃを含む処理の場合には、ＯＳＳ／ＢＳＳ３０は直接ｅＮＢ５０に対しスライスノードリスト変更要求を送信して、当該スライスノードリスト変更要求に基づいて、ｅＮＢ５０により保持されたスライス情報（スライスノードリスト）を当該ｅＮＢ５０により変更させるよう制御する（ステップＳ１２Ｃ）。
【００３５】
上記のようなスライスノードリスト変更処理（ステップＳ１２）により、ｅＮＢ５０により保持されたスライス情報（スライスノードリスト）の変更に係る処理を適切に実行することができる。
【００３６】
その後は、変更後のスライス情報（スライスノードリスト）に基づいて以下の処理が実行される。ＯＳＳ／ＢＳＳ３０がＭＭＥ＃１にＮＡＳリダイレクト要求を送信すると（ステップＳ１３）、旧ＭＭＥであるＭＭＥ＃１、ｅＮＢ５０、新ＭＭＥであるＭＭＥ＃２の間で、ＮＡＳメッセージリダイレクト処理が実行される（ステップＳ１４）。即ち、ＭＭＥ＃１がスライスタイプを含むリルート要求（Reroute  NAS  Message  Request）をｅＮＢ５０に送信すると（ステップＳ１４Ａ）、リルート要求を受信したｅＮＢ５０は、変更後のスライスノードリストから、当該リルート要求に含まれたスライスタイプに対応する新たなＭＭＥ（ここでは、ＭＭＥ＃２）を選択し（ステップＳ１４Ｂ）、選択されたＭＭＥ＃２へInitial  UE  Messageを送信して、その後のＮＡＳメッセージがＭＭＥ＃２へリダイレクトされるように制御する（ステップＳ１４Ｃ）。
【００３７】
このようにして、ｅＮＢ５０により保持されたスライス情報（スライスノードリスト）の変更に係る処理を適切に実行することができる。また、ｅＮＢ５０は、スライスタイプを含むリルート要求を旧ＭＭＥ（ＭＭＥ＃１）から受信した後、ｅＮＢ５０により保持しているスライスノードリストに基づいて、上記リルート要求に含まれたスライスタイプに応じた新たなＭＭＥ（ＭＭＥ＃２）を適切に選択し、該ＭＭＥ＃２へリダイレクトされるように適切に制御することができる。
【００３８】
なお、ＵＥ６０がスライス情報としてスライスタイプを保持し、ｅＮＢ５０がスライス情報としてスライスノードリストを保持しているシステム環境では、状況に応じて、上記の第１、第２の処理を同時並行で実行してもよい。
【００３９】
なお、本明細書で説明した「情報」は、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【００４０】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【００４１】
本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【００４２】
本明細書で説明した各態様／実施形態は単独で用いてもよいし、組み合わせて用いてもよいし、実行に伴って切り替えて用いてもよい。また、所定の情報の通知（例えば、「Ｘであること」の通知）は、明示的に行うことに限られず、暗黙的に（例えば、当該所定の情報の通知を行わないことによって）行われてもよい。
【００４３】
以上、本発明について詳細に説明したが、当業者にとっては、本発明が本明細書中に説明した実施形態に限定されないということは明らかである。本発明は、特許請求の範囲の記載により定まる本発明の趣旨及び範囲を逸脱することなく修正及び変更態様として実施することができる。したがって、本明細書の記載は、例示説明を目的とし、本発明に対して何ら制限的な意味を有しない。
【００４４】
なお、本明細書で説明した用語及び／又は本明細書の理解に必要な用語については、同一の又は類似する意味を有する用語と置き換えてもよい。
【００４５】
本明細書で使用する「システム」および「ネットワーク」という用語は、互換的に使用される。
【００４６】
また、本明細書で説明した情報、パラメータなどは、絶対値で表されてもよいし、所定の値からの相対値で表されてもよいし、対応する別の情報で表されてもよい。例えば、無線リソースはインデックスで指示されてもよい。
【００４７】
「含む(ｉｎｃｌｕｄｅ)」、「含んでいる（ｉｎｃｌｕｄｉｎｇ）」、およびそれらの変形が、本明細書あるいは特許請求の範囲で使用されている限り、これら用語は、用語「備える（ｃｏｍｐｒｉｓｅ）」と同様に、包括的であることが意図される。さらに、本明細書あるいは特許請求の範囲において使用されている用語「または（or）」は、排他的論理和ではないことが意図される。
【００４８】
また、本明細書で説明した各態様／実施形態は、ＬＴＥ（Long  Term  Evolution）、ＬＴＥ−Ａ（LTE-Advanced）、ＳＵＰＥＲ  ３Ｇ、ＩＭＴ−Ａｄｖａｎｃｅｄ、４Ｇ、５Ｇ、ＦＲＡ（Future  Radio  Access）、Ｗ−ＣＤＭＡ（登録商標）、ＧＳＭ（登録商標）、ＣＤＭＡ２０００、ＵＭＢ（Ultra  Mobile  Broadband）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、ＵＷＢ（Ultra-WideBand）、Ｂｌｕｅｔｏｏｔｈ（登録商標）、その他の適切なシステムを利用するシステム及び／又はこれらに基づいて拡張された次世代システムに適用されてもよい。
【００４９】
入出力された情報等は特定の場所（例えば、メモリ）に保存されてもよいし、管理テーブルで管理してもよい。入出力される情報等は、上書き、更新、または追記され得る。出力された情報等は削除されてもよい。入力された情報等は削除されてもよい。入力された情報等は他の装置へ送信されてもよい。
【００５０】
本開示の全体において、明らかに単数であることを示していない限り、単数および複数の両方の場合を含む。
【符号の説明】
【００５１】
１…通信システム、１０…スライス管理部、２０…端末管理サーバ、３０…ＯＳＳ／ＢＳＳ、４０…ＭＭＥ、５０…ｅＮｏｄｅＢ、６０…ＵＥ（端末）、１００…装置、１０１…ＣＰＵ、１０２…ＲＡＭ、１０３…ＲＯＭ、１０４…通信モジュール、１０５…補助記憶装置。
【図１】
2017169283.tif 000003
【図２】
2017169283.tif 000004
【図３】
2017169283.tif 000005
【図４】
2017169283.tif 000006
【国際調査報告】
2017169283.tif 000007
2017169283.tif 000008
2017169283.tif 000009
2017169283.tif 000010